(57)【特許請求の範囲】
【請求項１】
二次電池を備えたバッテリーパックが装着される電子機器であって、
当該電子機器の消費電流から残り使用可能時間を算出する第１の残り使用可能時間算出手段と、
前記二次電池の放電電流から残り使用可能時間を算出する第２の残り使用可能時間算出手段と、
前記第１の残り使用可能時間算出手段にて算出された残り使用可能時間と前記第２の残り使用可能時間算出手段にて算出された残り使用可能時間のうち、より少ない残り使用可能時間を選択する選択手段と、
前記選択された残り使用可能時間を表示する表示手段とを備えることを特徴とする電子機器。
【請求項２】
二次電池を備えたバッテリーパックが装着される電子機器であって、
当該電子機器の消費電流から残り使用可能時間を算出する第１の残り使用可能時間算出手段と、
前記二次電池の放電電流から残り使用可能時間を算出する第２の残り使用可能時間算出手段と、
前記第１の残り使用可能時間算出手段にて算出された残り使用可能時間と前記第２の残り使用可能時間算出手段にて算出された残り使用可能時間とが所定量乖離した場合、より少ない残り使用可能時間を選択する選択手段と、
前記選択された残り使用可能時間を表示する表示手段とを備えることを特徴とする電子機器。
【請求項３】
二次電池を備えたバッテリーパックが装着される電子機器であって、
当該電子機器の消費電流から残り使用可能時間を算出する第１の残り使用可能時間算出手段と、
前記二次電池の放電電流から残り使用可能時間を算出する第２の残り使用可能時間算出手段と、
前記第１の残り使用可能時間算出手段にて算出された残り使用可能時間と前記第２の残り使用可能時間算出手段にて算出された残り使用可能時間との平均値を計算する計算手段と、
前記計算された平均残り使用可能時間を表示する表示手段とを備えることを特徴とする電子機器。
【請求項４】
二次電池を備えたバッテリーパックが装着される電子機器であって、
当該電子機器の消費電流から残り使用可能時間を算出する第１の残り使用可能時間算出手段と、
前記二次電池の放電電流から残り使用可能時間を算出する第２の残り使用可能時間算出手段と、
前記第１の残り使用可能時間算出手段にて算出された残り使用可能時間と前記第２の残り使用可能時間算出手段にて算出された残り使用可能時間とをそれぞれ補正する補正手段と、
前記補正された残り使用可能時間の平均値を計算する計算手段と、
前記計算された平均残り使用可能時間を表示する表示手段とを備えることを特徴とする電子機器。
【請求項５】
前記第１の残り使用可能時間算出手段は、当該電子機器の消費電力量と前記二次電池の残容量から当該電子機器の残り使用可能時間を算出すると共に、前記第２の残り使用可能時間算出手段は、前記二次電池から供給される電力量と前記二次電池の残容量から当該電子機器の残り使用可能時間を算出することを特徴とする請求項１乃至４のいずれか１項に記載の電子機器。
【請求項６】
二次電池を備えたバッテリーパックが装着される電子機器の制御方法であって、
当該電子機器の消費電流から残り使用可能時間を算出する第１の残り使用可能時間算出工程と、
前記二次電池の放電電流から残り使用可能時間を算出する第２の残り使用可能時間算出工程と、
前記第１の残り使用可能時間算出手段にて算出された残り使用可能時間と前記第２の残り使用可能時間算出手段にて算出された残り使用可能時間のうち、より少ない残り使用可能時間を選択する選択工程と、
前記選択された残り使用可能時間を表示する表示工程とを備えることを特徴とする電子機器の制御方法。
【請求項７】
二次電池を備えたバッテリーパックが装着される電子機器の制御方法であって、
当該電子機器の消費電流から残り使用可能時間を算出する第１の残り使用可能時間算出工程と、
前記二次電池の放電電流から残り使用可能時間を算出する第２の残り使用可能時間算出工程と、
前記第１の残り使用可能時間算出手段にて算出された残り使用可能時間と前記第２の残り使用可能時間算出手段にて算出された残り使用可能時間とが所定量乖離した場合、より少ない残り使用可能時間を選択する選択工程と、
前記選択された残り使用可能時間を表示する表示工程とを備えることを特徴とする電子機器の制御方法。
【請求項８】
二次電池を備えたバッテリーパックが装着される電子機器の制御方法であって、
当該電子機器の消費電流から残り使用可能時間を算出する第１の残り使用可能時間算出工程と、
前記二次電池の放電電流から残り使用可能時間を算出する第２の残り使用可能時間算出工程と、
前記第１の残り使用可能時間算出手段にて算出された残り使用可能時間と前記第２の残り使用可能時間算出手段にて算出された残り使用可能時間との平均値を計算する計算工程と、
前記計算された平均残り使用可能時間を表示する表示工程とを備えることを特徴とする電子機器の制御方法。
【請求項９】
二次電池を備えたバッテリーパックが装着される電子機器の制御方法であって、
当該電子機器の消費電流から残り使用可能時間を算出する第１の残り使用可能時間算出工程と、
前記二次電池の放電電流から残り使用可能時間を算出する第２の残り使用可能時間算出工程と、
前記第１の残り使用可能時間算出手段にて算出された残り使用可能時間と前記第２の残り使用可能時間算出手段にて算出された残り使用可能時間とをそれぞれ補正する補正工程と、
前記補正された残り使用可能時間の平均値を計算する計算工程と、
前記計算された平均残り使用可能時間を表示する表示工程とを備えることを特徴とする電子機器の制御方法。
【請求項１０】
前記第１の残り使用可能時間算出工程では、前記電子機器の消費電力量と前記二次電池の残容量から前記電子機器の残り使用可能時間を算出すると共に、前記第２の残り使用可能時間算出工程では、前記二次電池から供給される電力量と前記二次電池の残容量から前記電子機器の残り使用可能時間を算出することを特徴とする請求項６乃至９のいずれか１項に記載の電子機器の制御方法。
【発明の詳細な説明】
【技術分野】
【０００１】
本発明は、バッテリーパックの残容量を基づいて電子機器の残りの使用可能時間を算出し、その結果を表示する機能を備える電子機器及びその制御方法に関する。
【背景技術】
【０００２】
従来、バッテリーパック内にマイコン、電流検出回路を備え、バッテリーセルの充放電電流を積算することにより充電容量を算出し、ビデオカメラにバッテリーセルの残容量情報を送信し、ビデオカメラにて使用可能な残時間を表示している。また、カメラモード、再生モードなど複数の動作モード毎の使用可能時間を算出して表示するものがある（例えば、特許文献１参照）。
【特許文献１】特開平９−２９７１６６号公報
【発明の開示】
【発明が解決しようとする課題】
【０００３】
しかしながら、上記従来のビデオカメラでは、ビデオライトなどの外部機器が接続された場合等、想定していない負荷が発生すると、正確な残り使用可能時間を表示することができないという問題がある。
【０００４】
また、従来の電子機器では、バッテリーパックからＤＣ／ＤＣコンバータを通して電力供給されることが多く、この場合、バッテリーパック内の電池の負荷は定電力に近い状態になる。バッテリーパックに利用される一般的なリチウムイオン電池を定電力放電させた場合、図６に示すように、放電初期の電圧の高い状態は、放電末期の電圧の低い状態と比べて放電電流が少ない。そこに、バッテリーパックの放電電流と残容量から残り使用可能時間を算出する方法を用いると、放電初期は放電電流が少ないため、正確な残り使用可能時間に対して残り使用可能時間が多くなってしまう。
【０００５】
本発明は、上記問題に鑑みて成されたもので、外部機器の接続による想定外の負荷でバッテリーパックの消費電流が変化しても、正確な残り使用可能時間を表示することができる電子機器及びその制御方法を提供することを目的とする。
【課題を解決するための手段】
【０００６】
上記目的を達成するために、本発明の電子機器は、二次電池を備えたバッテリーパックが装着される電子機器であって、当該電子機器の消費電流から残り使用可能時間を算出する第１の残り使用可能時間算出手段と、前記二次電池の放電電流から残り使用可能時間を算出する第２の残り使用可能時間算出手段と、前記第１の残り使用可能時間算出手段にて算出された残り使用可能時間と前記第２の残り使用可能時間算出手段にて算出された残り使用可能時間のうち、より少ない残り使用可能時間を選択する選択手段と、前記選択された残り使用可能時間を表示する表示手段とを備えることを特徴とする。
【０００７】
上記目的を達成するために、本発明の電子機器は、二次電池を備えたバッテリーパックが装着される電子機器であって、当該電子機器の消費電流から残り使用可能時間を算出する第１の残り使用可能時間算出手段と、前記二次電池の放電電流から残り使用可能時間を算出する第２の残り使用可能時間算出手段と、前記第１の残り使用可能時間算出手段にて算出された残り使用可能時間と前記第２の残り使用可能時間算出手段にて算出された残り使用可能時間とが所定量乖離した場合、より少ない残り使用可能時間を選択する選択手段と、前記選択された残り使用可能時間を表示する表示手段とを備えることを特徴とする。
【０００８】
上記目的を達成するために、本発明の電子機器は、二次電池を備えたバッテリーパックが装着される電子機器であって、当該電子機器の消費電流から残り使用可能時間を算出する第１の残り使用可能時間算出手段と、前記二次電池の放電電流から残り使用可能時間を算出する第２の残り使用可能時間算出手段と、前記第１の残り使用可能時間算出手段にて算出された残り使用可能時間と前記第２の残り使用可能時間算出手段にて算出された残り使用可能時間との平均値を計算する計算手段と、前記計算された平均残り使用可能時間を表示する表示手段とを備えることを特徴とする。
【０００９】
上記目的を達成するために、本発明の電子機器は、二次電池を備えたバッテリーパックが装着される電子機器であって、当該電子機器の消費電流から残り使用可能時間を算出する第１の残り使用可能時間算出手段と、前記二次電池の放電電流から残り使用可能時間を算出する第２の残り使用可能時間算出手段と、前記第１の残り使用可能時間算出手段にて算出された残り使用可能時間と前記第２の残り使用可能時間算出手段にて算出された残り使用可能時間とをそれぞれ補正する補正手段と、前記補正された残り使用可能時間の平均値を計算する計算手段と、前記計算された平均残り使用可能時間を表示する表示手段とを備えることを特徴とする。
【発明の効果】
【００１０】
本発明によれば、想定外の負荷でバッテリーパックの消費電流が変化しても、正確な残り使用可能時間を表示することができる。
【発明を実施するための最良の形態】
【００１１】
以下、本発明の実施形態を図面を参照して詳細に説明する。
【００１２】
［本発明の第１の実施形態］
図１は、本発明の第１の実施形態に係る電子機器とそのバッテリーパックの構成例を示す図である。
【００１３】
ビデオカメラ２００は、本発明が適用された電子機器の一例であり、着脱可能なバッテリーパック１００から供給される電力により駆動する。
【００１４】
バッテリーパック１００は、バッテリーセル１０１と、マイコン１０２と、温度検出部１０３を備える。バッテリーセル１０１は、リチウムイオンセルやニッケル水素セルなどの二次電池である。温度検出部１０３は、サーミスタなどの温度検出素子で構成される。温度検出部１０３は、基準電圧が分圧された電圧値を測定することにより温度検出素子の抵抗値を測定し、測定した温度検出素子の抵抗値から温度を算出する。
【００１５】
マイコン１０２は、電流検出部１０４と、電圧検出部１０５と、通信部１０６と、計算部１０７を備える。電流検出部１０４は、電流検出抵抗（不図示）の電圧から充電時／放電時の電流を検出する。具体的には、クーロンカウンタと呼ばれるものである。クーロンカウンタは、電流検出抵抗の電圧から単位当りの電荷の充電電流量、放電電流量をカウントし、カウントした電流量をカウントした時間で割ることにより、時間当りの充電電流、放電電流を検出する。
【００１６】
電圧検出部１０５は、バッテリーセル１０１の電圧を検出する。通信部１０６は、ビデオカメラ２００との通信を行う。計算部１０７は、温度検出部１０３、電流検出部１０４、及び電圧検出部１０５で検出された各情報からバッテリーセル１０１の残容量を算出する。算出された残容量等は、マイコン１０２内のメモリ（不図示）に格納されてもよい。
【００１７】
ビデオカメラ２００は、マイコン２０１と、ＤＣ／ＤＣコンバータ２０２と、表示部２０３と、負荷部２０４を備える。マイコン２０１は、表示制御部２０５と、負荷制御部２０６と、通信部２０７と、計算部２０８と、メモリ（不図示）を備える。
【００１８】
ＤＣ／ＤＣコンバータ２０２は、バッテリーセル１０１からの電力を安定化した電圧に変換し、マイコン２０１や表示部２０３、負荷部２０４やライト３００に電力として供給する。表示部２０３は、液晶パネルなどの表示装置で構成され、ビデオカメラ２００の残りの使用可能時間を表示する。負荷部２０４は、電力を消費するビデオカメラ２００の負荷である。表示制御部２０５は、表示部２０３の制御を行う。負荷制御部２０６は、負荷部２０４の制御を行う。通信部２０７は、バッテリーパック１００との通信を行う。計算部２０８は、バッテリーセル１０１の残容量に基づいてビデオカメラ２００の残り使用可能時間を計算する。
【００１９】
ライト３００は、アクセサリーシュー３０１を介してビデオカメラ２００に着脱可能に構成され、当該ビデオカメラ２００に装着されたバッテリーパック１００で駆動する外部機器である。アクセサリーシュー３０１を介してビデオカメラ２００に接続可能な外部機器には、ライト３００の他にマイクやフラッシュなどがある。これらの外部機器は、ライト３００と同様に、ビデオカメラ２００に装着されたバッテリーパック１００で駆動する。
【００２０】
本実施の形態におけるビデオカメラ２００は、計算部２０８で残り使用可能時間を算出し、表示部２０３に残り使用可能時間を表示する。計算部２０８において行われる残り使用可能時間の算出処理について図２を用いて説明する。
【００２１】
図２は、図１のビデオカメラ２００にて実行される残り使用可能時間の算出及び表示処理を示すフローチャートである。
【００２２】
図２において、ビデオカメラ２００は、通信部２０７によりバッテリーパック１００と通信可能かどうかの判定を行い（ステップＳ２０１）、通信できない場合には本処理を終了する一方、通信可能な場合はステップＳ１０２へ進む。
【００２３】
ステップＳ１０２では、ビデオカメラ２００は、通信部２０７を介してバッテリーパック１００からバッテリーセル１０１の残容量データを受信する。残容量データは、上述したように、バッテリーパック１００内の計算部１０７により算出されたバッテリーセル１０１の残容量である。
【００２４】
ステップＳ１０３では、ビデオカメラ２００は、通信部２０７を介してバッテリーパック１００からバッテリーセル１０１の放電電流データを受信する。放電電流データは、電流検出部１０４により検出される放電電流を表すデータである。ステップＳ１０４では、計算部２０８は、ステップＳ１０３で受信した放電電流データに基づいて、放電電流での残り使用可能時間（以下、「残り使用可能時間Ａ」という。）を算出し（第２の残り使用可能時間算出手段）、メモリに保存する。ステップＳ１０３〜Ｓ１０４では、電子機器の残り使用可能時間を放電電流で算出したが、二次電池から供給される電力量と二次電池の残容量から電子機器の残り使用可能時間を算出してもよい。
【００２５】
ステップＳ１０５では、メモリからモード電流データを読み出す。モード電流データは、ビデオカメラ２００における各種動作モード（例えば、撮影モード等）毎の消費電流を表すデータである。ステップＳ１０６では、ステップＳ１０５で読み出したモード電流データに基づいて、モード電流での残り使用可能時間（以下、「残り使用可能時間Ｂ」という。）を算出し（第１の残り使用可能時間算出手段）、メモリに保存する。ステップＳ１０５〜Ｓ１０６では、電子機器の残り使用可能時間を消費電流で算出したが、電子機器の消費電力量と二次電池の残容量から電子機器の残り使用可能時間を算出してもよい。
【００２６】
ステップＳ２０３では、計算部２０８は、ステップＳ１０４、ステップＳ１０６で算出された残り使用可能時間Ａと残り使用可能時間Ｂを比較する。この結果、残り使用可能時間Ａが残り使用可能時間Ｂ以下であれば、計算部２０８は残り使用可能時間Ａを選択し、表示制御部２０５を介して表示部２０３に表示させる（ステップＳ２０４）。
【００２７】
一方、残り使用可能時間Ａが残り使用可能時間Ｂを越える場合は、計算部２０８は残り使用可能時間Ｂを選択し、表示制御部２０５を介して表示部２０３に表示させる（ステップＳ２０５）。
【００２８】
第１の実施形態によれば、ビデオカメラ２００の消費電流から残り使用可能時間を算出し、バッテリーセル１０１の放電電流から残り使用可能時間を算出する。そして、算出された複数の残り使用可能時間を比較し、最も少ない残り使用可能時間を選択して表示部２０３に表示する。これにより、外部機器の接続による想定外の負荷でバッテリーパック１００の消費電流が変化しても、正確な残り使用可能時間を表示することができる。
【００２９】
また、バッテリーパックの放電電流と残容量から残り使用可能時間を算出する方法だけでなく、ビデオカメラ２００の消費電流から残り使用可能時間を算出する方法をも考慮している。これにより、電池の特性により起る放電初期の残り使用可能時間の誤差を少なくすることができる。
【００３０】
［第２の実施形態］
本発明の第２の実施形態に係る電子機器は、その構成は図１にて説明した第１の実施形態におけるビデオカメラ２００と同じであり、第１の実施形態と同様の部分については、同一の符号を用いてその説明を省略する。以下に、上記第１の実施形態と異なる点のみを説明する。
【００３１】
第２の実施形態におけるビデオカメラ２００では、残り使用可能時間ＡとＢの乖離率が算出され、予め設定された乖離率αと比較することにより、表示する残り使用可能時間が選択される。
【００３２】
図３は、本発明の第２の実施形態におけるビデオカメラ２００の残り使用可能時間の選択方法の流れを示すフローチャートである。
【００３３】
計算部２０８は、乖離率α％を設定する（ステップＳ３０１）。以下、ステップＳ１０１からステップＳ１０６までは上記第１の実施形態における図２と同様であるので、その説明を省略する。
【００３４】
ステップＳ３０４では、計算部２０８は、ステップＳ１０４、ステップＳ１０６で算出された残り使用可能時間Ａと残り使用可能時間Ｂの乖離率を算出する。そして、計算部２０８は、ステップＳ３０４で算出された乖離率がステップＳ３０１で設定された乖離率α％以上のとき（ステップＳ３０５でＹＥＳ）、残り使用可能時間Ｂを選択する。続いて、計算部２０８は、選択された残り使用可能時間Ｂを表示制御部２０５を介して表示部２０３に表示する（ステップＳ３０７）。
【００３５】
一方、ステップＳ３０４で算出された乖離率がステップＳ３０１で設定された乖離率α％未満のときは、計算部２０８は残り使用可能時間Ａを選択し、表示制御部２０５を介して表示部２０３に表示させる（ステップＳ３０６）。
【００３６】
本実施の形態では、残り使用可能時間が２つの場合について説明したが、３つ以上の場合は、残り使用時間の最も少ない残り使用可能時間に対する他の残り使用可能時間の乖離率をそれぞれ算出する。
【００３７】
第２の実施形態によれば、ビデオカメラ２００の消費電流から残り使用可能時間を算出し、バッテリーセル１０１の放電電流から残り使用可能時間を算出する。そして、算出された複数の残り使用可能時間のうち最も少ない残り使用可能時間が他の残り使用可能時間に対して所定量乖離した場合、当該最も少ない残り使用可能時間を選択して表示部２０３に表示する。これにより、上述した第１の実施形態と同様の効果を得ることができる。
【００３８】
［第３の実施形態］
本発明の第３の実施形態に係る電子機器は、その構成は図１にて説明した第１の実施形態におけるビデオカメラ２００と同じであり、第１の実施形態と同様の部分については、同一の符号を用いてその説明を省略する。以下に、上記第１の実施形態と異なる点のみを説明する。
【００３９】
第３の実施形態におけるビデオカメラ２００では、残り使用可能時間Ａ，Ｂの平均値が算出され、表示する残り使用可能時間が選択される。
【００４０】
図４は、本発明の第３の実施形態におけるビデオカメラ２００の残り使用可能時間の選択方法の流れを示すフローチャートである。
【００４１】
図４において、ステップＳ１０１からステップＳ１０６までは上記第１の実施形態における図２と同様であるので、その説明を省略する。
【００４２】
ステップＳ４０３では、計算部２０８は、ステップＳ１０４、ステップＳ１０６で算出された残り使用可能時間Ａと残り使用可能時間Ｂの平均値を計算する。そして、ステップＳ４０４では、計算部２０８は、ステップＳ４０３で計算された平均残り使用可能時間を表示制御部２０５を介して表示部２０３に表示させる。
【００４３】
本実施の形態では、残り使用可能時間が２つの場合について説明したが、３つ以上の場合は、複数の複数の残り使用可能時間のうち任意の残り使用可能時間を複数選択し、選択された複数の残り使用可能時間の平均値を計算してもよい。
【００４４】
第３の実施形態によれば、ビデオカメラ２００の消費電流から残り使用可能時間を算出し、バッテリーセル１０１の放電電流から残り使用可能時間を算出する。そして、算出された複数の残り使用可能時間の平均値を計算し、計算された平均残り使用可能時間を表示する。これにより、上述した第１の実施形態と同様の効果を得ることができる。
【００４５】
［第４の実施形態］
本発明の第４の実施形態に係る電子機器は、その構成は図１にて説明した第１の実施形態におけるビデオカメラ２００と同じであり、第１の実施形態と同様の部分については、同一の符号を用いてその説明を省略する。以下に、上記第１の実施形態と異なる点のみを説明する。
【００４６】
本第４の実施形態におけるビデオカメラ２００では、残り使用可能時間Ａ，Ｂが補正され、補正後の残り使用可能時間Ａ，Ｂの平均値から表示する残り使用可能時間が選択される。
【００４７】
図５は、本発明の第４の実施形態におけるビデオカメラ２００の残り使用可能時間の選択方法の流れを示すフローチャートである。
【００４８】
図５において、ステップＳ１０１からステップＳ１０６までは上記第１の実施形態における図２と同様であるので、その説明を省略する。
【００４９】
計算部２０８は、ステップＳ１０４で算出した残り使用可能時間Ａを補正する（ステップＳ５０２）。補正方法の一例として、使用環境やバッテリーセル１０１の特性に応じた補正係数を残り使用可能時間に掛ける方法が挙げられる。次に、計算部２０８は、ステップＳ５０２と同様の補正方法で、ステップＳ１０６で算出された残り使用可能時間Ｂを補正する（ステップＳ５０４）。
【００５０】
次に、計算部２０８は、ステップＳ５０２で補正された残り使用可能時間ＡとステップＳ５０４で補正された残り使用可能時間Ｂの平均値を計算する（ステップＳ５０５）。そして、計算部２０８は、ステップＳ５０５で算出された補正後の平均残り使用可能時間を表示制御部２０５を介して表示部２０３に表示させる（ステップＳ５０６）。
【００５１】
第４の実施形態によれば、ビデオカメラ２００の消費電流から残り使用可能時間を算出し、算出した残り使用可能時間に対して所定の補正を行う。そして、バッテリーセル１０１の放電電流から残り使用可能時間を算出し、算出した残り使用可能時間に対して所定の補正を行う。そして、補正した複数の残り使用可能時間の平均値を計算し、計算された平均残り使用可能時間を表示する。これにより、上述した第１の実施形態と同様の効果を得ることができる。
【００５２】
上記第１〜第４の実施形態では、残り使用可能時間が２つの場合について説明したが、これに限定されず、３つ以上の使用可能時間を利用して、表示すべき残り使用可能時間を算出するようにしてもよい。また、複数の残り使用可能時間の中から任意の残り使用可能時間を複数選出し、表示すべき残り使用可能時間を算出するようにしてもよい。また、外部機器が接続された場合にのみ、上述した複数の残り使用可能時間の算出及び選択を行うようにしてもよい。これにより、電子機器内での処理の効率化を図ることができる。
【００５３】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施形態の機能を実現することになり、そのプログラムコード及び該プログラムコードを記憶した記憶媒体は本発明を構成することになる。
【００５４】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００５５】
また、コンピュータが読み出したプログラムコードを実行することにより、上記実施形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００５６】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００５７】
【図１】本発明の第１の実施形態に係る電子機器とそのバッテリーパックの構成例を示す図である。
【図２】本発明の第１の実施形態におけるビデオカメラ２００の残り使用可能時間の選択方法の流れを示すフローチャートである。
【図３】本発明の第２の実施形態におけるビデオカメラ２００の残り使用可能時間の選択方法の流れを示すフローチャートである。
【図４】本発明の第３の実施形態におけるビデオカメラ２００の残り使用可能時間の選択方法の流れを示すフローチャートである。
【図５】本発明の第４の実施形態におけるビデオカメラ２００の残り使用可能時間の選択方法の流れを示すフローチャートである。
【図６】従来の一般的なリチウムイオン電池の定電力負荷での放電特性を示す図である。
【符号の説明】
【００５８】
１００  バッテリーパック
２００  ビデオカメラ
１０１  バッテリーセル
１０２，２０１  マイコン
１０３  温度検出部
１０４  電流検出部
１０５  電圧検出部
１０６，２０７  通信部
１０７，２０８  計算部
２０３  表示部
２０４  負荷部
２０５  表示制御部
２０６  負荷制御部
【図１】
0004829854.tif 000002
【図２】
0004829854.tif 000003
【図３】
0004829854.tif 000004
【図４】
0004829854.tif 000005
【図５】
0004829854.tif 000006
【図６】
0004829854.tif 000007